(57)【特許請求の範囲】
【請求項１】
公開情報を表示する方法であって、
公開情報を表示する装置が、当日の公開情報の１日２４時間の総暴露量をリアルタイムに取得するステップと、
公開情報を表示する装置が、前記当日の公開情報の１日２４時間の総暴露量によって現在の公開情報の表示割合を得て、そして前記現在の公開情報の表示割合に従って公開情報を表示するステップとを含み、
当日の公開情報の１日２４時間の総暴露量をリアルタイムに取得する前記ステップは、
履歴データの平均値を表示領域の当日の１時間あたりの公開情報の暴露割合とし、前記１時間あたりの公開情報の暴露割合が１日２４時間の総暴露量に対する１時間あたりの公開情報の暴露量の割合であり、
計算された当日の１時間の公開情報の暴露割合によって、当日の公開情報の１日２４時間の総暴露量をリアルタイムに取得することであることを特徴とする、前記方法。
【請求項２】
前記計算された当日の１時間の公開情報の暴露割合によって、当日の公開情報の１日２４時間の総暴露量をリアルタイムに取得することは、
０時から１時までの間で、履歴データにおける公開情報の１日２４時間の総暴露量の平均値を当日の公開情報の１日２４時間の総暴露量とし、１時以降の時間ごとに、当日の公開情報の１日２４時間の総暴露量が前の公開情報の暴露量の総和と前の公開情報の暴露割合の総和との比に等しいことであることを特徴とする
請求項１に記載の方法。
【請求項３】
当日の公開情報の１日２４時間の総暴露量によって現在の公開情報の表示割合を得て、前記現在の公開情報の表示割合に従って公開情報を表示する前記ステップは、
前記当日の公開情報の１日２４時間の総暴露量をＹとし、当日の１日２４時間に表示すべき公開情報の暴露量としてユーザにより設定された暴露量のうち現在の残量をＸとすれば、現在の公開情報の表示割合がＸ/Ｙとなり、
公開情報を表示するときに、前記現在の公開情報の表示割合Ｘ/Ｙに従って公開情報の表示を行うことであることを特徴とする
請求項１または２に記載の方法。
【請求項４】
公開情報を表示する装置であって、
当日の公開情報の１日２４時間の総暴露量をリアルタイムに取得することに用いられる取得手段と、
取得手段で取得された当日の公開情報の１日２４時間の総暴露量によって現在の公開情報の表示割合を取得することに用いられる計算手段と、
計算手段で取得された現在の公開情報の表示割合に従って公開情報を表示することに用いられる表示手段とを備え、
前記取得手段が当日の公開情報の１日２４時間の総暴露量をリアルタイムに取得することは、
履歴データの平均値を表示領域の当日の１時間あたりの公開情報の暴露割合とし、前記１時間あたりの公開情報の暴露割合が１日２４時間の総暴露量に対する１時間の公開情報の暴露量の割合であり、
計算された当日の１時間あたりの公開情報の暴露割合によって、当日の公開情報の１日２４時間の総暴露量をリアルタイムに取得することであることを特徴とする、前記装置。
【請求項５】
前記計算手段が計算された当日の１時間あたりの公開情報の暴露割合によって、当日の公開情報の１日２４時間の総暴露量をリアルタイムに取得することは、
０時から１時までの間で、履歴データにおける公開情報の１日２４時間の総暴露量の平均値を当日の公開情報の１日２４時間の総暴露量とし、１時以降の時間ごとに、当日の公開情報の１日２４時間の総暴露量が前の公開情報の暴露量の総和と前の公開情報の暴露割合の総和との比に等しいことであることを特徴とする
請求項４に記載の装置。
【請求項６】
前記計算手段が当日の公開情報の１日２４時間の総暴露量によって現在の公開情報の表示割合を得ることは、前記当日の公開情報の１日２４時間の総暴露量をＹとし、当日の１日２４時間に表示すべき公開情報の暴露量としてユーザにより設定された暴露量のうち現在の残量をＸとすれば、現在の公開情報の表示割合がＸ/Ｙとなることであり、
前記表示手段が現在の公開情報の表示割合に従って公開情報を表示することは、前記現在の公開情報の表示割合Ｘ/Ｙに従って公開情報の表示を行うことであることを特徴とする
請求項４または５に記載の装置。
【請求項７】
プロセッサによって実行されるときにプロセッサに請求項１〜３のいずれか１項に記載のステップを実行させるプログラム命令を含むコンピュータプログラム製品。
【請求項８】
請求項７に記載のコンピュータプログラム製品を記憶している記憶媒体。
【発明の詳細な説明】
【技術分野】
【０００１】
本出願は、２０１２年４月１３日に出願された中国特許出願第２０１２１０１１０４７８．０号（出願人は騰訊科技（北京）有限公司、発明の名称は「公開情報を表示する方法及び装置」）に基づく優先性を主張し、当該中国特許出願に記載された全ての記載内容を援用するものである。
【０００２】
本発明は、インターネット応用分野の情報処理技術に関し、特に公開情報を表示する方法及び装置に関する。
【背景技術】
【０００３】
オンラインビデオクライアントとは、ポイント・ツー・ポイント（Ｐ２Ｐ：Ｐｏｉｎｔ  ｔｏ  Ｐｏｉｎｔ）技術を採用してインターネットビデオ情報を取得する応用であり、生放送されているテレビ番組またはネットユーザより共有されるビデオ情報を見るために用いられることができる。現在、オンラインビデオのユーザがより多くなっているので、オンラインビデオを利用して公開情報を表示すれば、公開情報の数は将来の２年間で倍増する見込みである。
【０００４】
公開情報の表示方式には、主に日、トラフィック、クリック回数ごとに表示するなどの方式がある。そして、現在、ビデオで公開情報を表示するときに、単一の表示領域に対して、一つだけの表示方式を選択できる。従って、現在の公開情報のトラフィックによって収益の最大化を効果的に実現することができなく、表示形態の調整をリアルタイムに行えなく、表示形態をさらに調整しなければ、収益の最大化を実現できない。
【０００５】
現在、ビデオで公開情報を表示するには、通常日ごとに表示する方法、つまり、コストパーミル（ＣＰＭ：Ｃｏｓｔ  Ｐｅｒ  Ｍｉｌｌｅ）の表示方式を採る。現在、この方式を利用して公開情報を表示する従来の方法は、全量表示する方法、つまり、ユーザにより設定された暴露量まで表示した後に公開情報の表示を停止する方法、時間ごとに全量表示する方法、つまり、ユーザにより設定された暴露量を一定のルールに従って時間ごとに割り当て、時間ごとに対応する暴露量まで表示するまで公開情報の表示を一時停止し、次の１時間になると再び表示し続け、このように循環してユーザにより設定された暴露量に達するまで表示を停止する方法という２種類の方法を含む。
【０００６】
図１は従来の技術において全量表示の場合の公開情報の表示グラフの一例を示す図である。図１に示すように、ユーザにより設定された暴露量が全量消費されるので、早く１２時ごろにほとんど完全に消費されてしまい、１３時以降はこの公開情報を表示しない。ユーザにより設定された暴露量が１日の２４時間に合理的に分散できないことが明らかになる。図２は従来技術において時間ごとに全量表示する場合の公開情報の表示グラフの一例を示す図である。図２に示すように、ユーザにより設定された暴露量が２４時間に分散されるので、時間ごとにできるだけ暴露量を消費するため、各時間の初めの暴露量が大きくなり、終わりの暴露量が小さくなり、これによって鋸歯状のグラフを形成して、公開情報を均一かつ合理的に表示できなくなってしまう。
【発明の概要】
【発明が解決しようとする課題】
【０００７】
これを鑑みて、本発明の主要な目的は、リアルタイムに調整される表示割合によって公開情報の暴露量を合理的に割り当てて、公開情報の表示を合理的かつ均一的に分布させることができる、公開情報を表示する方法及び装置を提供することにある。
【課題を解決するための手段】
【０００８】
前記目的を実現するために、本発明の技術的解決策は、以下のように実現される。
【０００９】
本発明の実施形態に係る公開情報を表示する方法は、
公開情報を表示する装置が、当日の公開情報の１日２４時間の総暴露量をリアルタイムに取得するステップと、
公開情報を表示する装置が、前記当日の公開情報の１日２４時間の総暴露量によって現在の公開情報の表示割合を得て、そして前記現在の公開情報の表示割合に従って公開情報を表示するステップとを含む。
【００１０】
前記方法において、当日の公開情報の１日２４時間の総暴露量をリアルタイムに取得する前記ステップは、
履歴データの平均値を表示領域の当日の１時間あたりの公開情報の暴露割合とし、前記１時間あたりの公開情報の暴露割合が１日２４時間の総暴露量に対する１時間あたりの公開情報の暴露量の割合であり、
計算された当日の１時間あたりの公開情報の暴露割合によって、当日の公開情報の１日２４時間の総暴露量をリアルタイムに取得することである。
【００１１】
前記方法において、前記計算された当日の１時間あたりの公開情報の暴露割合によって、当日の公開情報の１日２４時間の総暴露量をリアルタイムに取得することは、
０時から１時までの間で、履歴データにおける公開情報の１日２４時間の総暴露量の平均値を当日の公開情報の１日２４時間の総暴露量とし、１時以降の時間ごとに、当日の公開情報の１日２４時間の総暴露量が前の公開情報の暴露量の総和と前の公開情報の暴露割合の総和との比に等しいことである。
【００１２】
前記方法において、当日の公開情報の１日２４時間の総暴露量によって現在の公開情報の表示割合を得て、前記現在の公開情報の表示割合に従って公開情報を表示する前記ステップは、
前記当日の公開情報の１日２４時間の総暴露量をＹとし、当日の１日２４時間に表示すべき公開情報の暴露量としてユーザにより設定された暴露量のうち現在の残量をＸとすれば、現在の公開情報の表示割合がＸ/Ｙとなり、
公開情報を表示するときに、前記現在の公開情報の表示割合Ｘ/Ｙに従って公開情報の表示を行うことである。
【００１３】
本発明の実施形態に係る公開情報を表示する装置は、
当日の公開情報の１日２４時間の総暴露量をリアルタイムに取得することに用いられる取得手段と、
取得手段で取得された当日の公開情報の１日２４時間の総暴露量によって現在の公開情報の表示割合を得ることに用いられる計算手段と、
計算手段で得られた現在の公開情報の表示割合に従って公開情報を表示することに用いられる表示手段とを備える。
【００１４】
前記装置において、前記取得手段が当日の公開情報の１日２４時間の総暴露量をリアルタイムに取得することは、
履歴データの平均値を表示領域の当日の１時間の公開情報の暴露割合とし、前記１時間あたりの公開情報の暴露割合が１日２４時間の総暴露量に対する１時間あたりの公開情報の暴露量の割合であり、
計算された当日の１時間あたりの公開情報の暴露割合によって、当日の公開情報の１日２４時間の総暴露量をリアルタイムに取得することである。
【００１５】
前記装置において、前記計算手段が計算された当日の１時間あたりの公開情報の暴露割合によって、当日の公開情報の１日２４時間の総暴露量をリアルタイムに取得することは、
０時から１時までの間で、履歴データにおける公開情報の１日２４時間の総暴露量の平均値を当日の公開情報の１日２４時間の総暴露量とし、１時以降の時間ごとに、当日の公開情報の１日２４時間の総暴露量が前の公開情報の暴露量の総和と前の公開情報の暴露割合の総和との比に等しいことである。
【００１６】
前記装置において、前記計算手段が当日の公開情報の１日２４時間の総暴露量によって現在の公開情報の表示割合を得ることは、前記当日の公開情報の１日２４時間の総暴露量をＹとし、当日の１日２４時間に表示すべき公開情報の暴露量としてユーザにより設定された暴露量のうち現在の残量をＸとすれば、現在の公開情報の表示割合がＸ/Ｙとなることであり、
前記表示手段が現在の公開情報の表示割合に従って公開情報を表示することは、前記現在の公開情報の表示割合Ｘ/Ｙに従って公開情報の表示を行うことである。
【００１７】
本発明の実施形態に係るコンピュータプログラム製品は、プロセッサによって実行されるとき、プロセッサに、前記方法に記載のステップを実行させるプログラム命令を含む。
【００１８】
本発明の実施形態に係る記憶媒体は、上述したようなコンピュータプログラム製品を記憶している。
【００１９】
本発明に係る公開情報を表示する方法及び装置において、当日の公開情報の総暴露量をリアルタイムに取得し、前記当日の公開情報の総暴露量によって現在の公開情報の表示割合を得て、そして前記現在の公開情報の表示割合に従って公開情報を表示し、このように、当日の公開情報の総暴露量を１時間ごとに計算するので、当日の公開情報の総暴露量をリアルタイムに調整することができ、それによって現在の公開情報の表示割合をリアルタイムに調整でき、リアルタイムに調整される表示割合によって公開情報の暴露量を合理的に割り当てて、公開情報の表示を合理かつ均一的に分布させることができ、従来技術において暴露量が、ある時間帯で全量消費されてしまうことと、１時間の終わりの暴露量が少ない問題を回避することができる。
【図面の簡単な説明】
【００２０】
【図１】従来技術における全量表示する場合の公開情報の表示グラフの一例を示す図である。
【図２】従来技術における時間ごとに全量表示する場合の公開情報の表示グラフの一例を示す図である。
【図３】本発明の一実施例に係る公開情報の表示を実現する方法のプロセスを示す図である。
【図４】本発明の一実施例に係る時間ごとに全量表示する場合の公開情報の表示グラフの一例を示す図である。
【図５】本発明の一実施例に係る公開情報の表示を実現する装置の構成を示す図である。
【発明を実施するための形態】
【００２１】
本発明の基本的な考えは、当日の公開情報の総暴露量をリアルタイムに取得し、前記当日の公開情報の総暴露量によって現在の公開情報の表示割合を得て、そして前記現在の公開情報の表示割合に従って公開情報を表示することである。
【００２２】
以下、図面及び具体的な実施形態を参照しながら本発明をさらに詳しく説明する。
【００２３】
本発明に係る公開情報を表示する方法は、本発明の一実施例に係る公開情報の表示を実現する方法のプロセスを示す図３に示すように、以下のステップを含む。
【００２４】
ステップ３０１において、当日の公開情報の総暴露量をリアルタイムに取得する。
【００２５】
具体的には、まず、履歴データによってある表示領域の当日の１時間あたりの公開情報の暴露割合を計算し、計算された当日の１時間あたりの公開情報の暴露割合が履歴データの平均値であり、例えば、過去の１ヶ月間に１時間あたりの公開情報の暴露割合の平均値である。例えば、０時から１時までの暴露割合は、過去の１ヶ月（例えば３０日）間に毎日の０時から１時までの公開情報の暴露割合の総和を３０で除算することによって得られた平均値であってもよい。当該１時間あたりの公開情報の暴露割合とは、１日２４時間の総暴露量に対する１時間あたりの公開情報の暴露量の割合である。例えば、総暴露量に占める０時から１時までの公開情報の暴露量の割合が２％とし、総暴露量に占める１時から２時までの公開情報の暴露量の割合が１％とし、…、総暴露量に占める１９時から２０時までの公開情報の暴露量の割合が１０％とし、…、総暴露量に占める２３時から２４時までの公開情報の暴露量の割合が３％とし、合計で１００％である。
【００２６】
次に、計算された当該表示領域の当日の１時間あたりの公開情報の暴露割合によって、当該表示領域の当日の公開情報の総暴露量をリアルタイムに計算して取得する。具体的には、０時から１時までの時間帯で、表示領域に公開情報がまだ表示されないので、当日の公開情報の暴露データがなく、従って、計算された当該表示領域の当日の公開情報の総暴露量について履歴データの平均値を採用し、つまり、当該表示領域の履歴データにおける公開情報の総暴露量の平均値を当該表示領域の当日の公開情報の総暴露量とする。例えば、今日は月曜日であれば、過去の５週間の毎週月曜日における表示領域の１日２４時間の総暴露量の平均値を、当該表示領域の当日の公開情報の総暴露量とする。１時以降の時間ごとに、計算された当該表示領域の当日の公開情報の総暴露量は、当該表示領域の前の１時間あたりの公開情報の暴露量の総和と前の１時間あたりの公開情報の暴露割合の総和との比に等しい。
【００２７】
例えば、ある表示領域の１時間あたりの公開情報の暴露割合は、表１に示すものである。
【００２８】
【表１】
0005876573.tif 000002
【００２９】
当日の初めの９時間における公開情報の暴露割合の総和が２４％とし、かつ表示領域の当日の初めの９時間における公開情報の暴露量の総和が２４００個ＣＰＭとすると、当該表示領域の当日の公開情報の実際の総暴露量は、２４００/２４％＝１００００個ＣＰＭとなる。
【００３０】
ステップ３０２において、取得された当日の公開情報の総暴露量によって現在の公開情報の表示割合を得て、そして前記現在の公開情報の表示割合に従って公開情報を表示する。
【００３１】
具体的には、ステップ３０１で取得された当日の公開情報の総暴露量をＹとするとともに、ユーザが設定した当日の１日２４時間に表示すべき公開情報の暴露量のうち現在の残量をＸとすると、当該表示領域の現在の公開情報の表示割合は、Ｘ/Ｙとなり、表示領域に公開情報を表示するときに、当該現在の公開情報の表示割合Ｘ/Ｙに従って公開情報の表示を行う。これによって、図４に示すような平滑な公開情報の表示グラフを得ることができ、ユーザにより設定された暴露量をリアルタイムに計算された実際の暴露割合に従って２４時間に分散できる。これと同時に、ビデオを見るときに、必ずしも毎回公開情報を見ることができないのを保証し、ユーザ体験を効果的に保護しながら当日の公開情報の総暴露量に達することができる。
【００３２】
なお、実際の応用において、当日の終わり時間になると、例えば、２２時または２３時に、設定された暴露量が完全に表示されない場合、計算された表示割合に一定の係数を掛けることによって、実際の暴露量が設定された総暴露量に達することを確保する。前記係数は実際の状況に応じて設定されてもよい。
【００３３】
本発明では、当日の公開情報の総暴露量を時間ごとに計算するので、当日の公開情報の総暴露量をリアルタイムに調整することができ、従って、現在の公開情報の表示割合をリアルタイムに調整でき、従来技術において暴露量が、ある時間帯で全量消費されてしまうことと、各時間の終わりの暴露量が少ない問題を回避することがき、リアルタイムに調整される表示割合によって公開情報の暴露量を合理的に割り当てて、公開情報の表示を合理かつ均一的に分布させることができる。
【００３４】
前記方法を実現するために、本発明に係る公開情報を表示する装置は、実際の応用において、公開情報バックエンドサーバに位置してもよい。図５は本発明の一実施形態に係る公開情報の表示を実現する装置の構成を示す図である。図５に示すように、当該装置は、
当日の公開情報の総暴露量をリアルタイムに取得することに用いられる取得手段５０と、
取得手段５０で取得された当日の公開情報の総暴露量によって現在の公開情報の表示割合を得ることに用いられる計算手段６０と、
計算手段６０で得られた現在の公開情報の表示割合に従って公開情報を表示することに用いられる表示手段７０と、を備える。
【００３５】
ここで、前記取得手段５０が当日の公開情報の総暴露量をリアルタイムに取得することは、履歴データの平均値を表示領域の当日の１時間あたりの公開情報の暴露割合とし、前記１時間あたりの公開情報の暴露割合が１日２４時間の総暴露量に対する１時間あたりの公開情報の暴露量の割合であり、計算された当日の１時間あたりの公開情報の暴露割合によって、当日の公開情報の総暴露量をリアルタイムに取得することである。
【００３６】
ここで、前記計算された当日の１時間あたりの公開情報の暴露割合によって、当日の公開情報の総暴露量をリアルタイムに取得することは、０時から１時までの間で、履歴データにおける公開情報の総暴露量の平均値を当日の公開情報の総暴露量とし、１時以降の時間ごとに、当日の公開情報の総暴露量が前の公開情報の暴露量の総和と前の公開情報の暴露割合の総和との比に等しいことである。
【００３７】
ここで、前記計算手段６０が当日の公開情報の総暴露量によって現在の公開情報の表示割合を得ることは、前記当日の公開情報の総暴露量をＹとし、当日の１日２４時間に表示すべき公開情報の暴露量としてユーザにより設定された暴露量のうち現在の残量をＸとすれば、現在の公開情報の表示割合がＸ/Ｙとなることである。
【００３８】
前記表示手段７０が現在の公開情報の表示割合に従って公開情報を表示することは、前記現在の公開情報の表示割合Ｘ/Ｙに従って公開情報の表示を行うことである。
【００３９】
本発明の実施形態における前記集積されたユニットは、ソフトウェア機能モジュールの形態で実現されかつ独立する製品として販売または使用される場合、一つのコンピュータ可読記憶媒体に記憶されてもよい。このような理解に基づいて、本発明の実施形態の技術的解決策は、本質的または従来技術に貢献する部分がソフトウェア製品の形態で体現されてもよい。当該コンピュータソフトウェア製品は、一つの記憶媒体に記憶され、一つのコンピュータ装置（パーソナルコンピュータ、サーバ、またはネットワーク装置などであってよい）が本発明の各実施形態に係る前記方法の全てまたは一部を実行するように若干の命令を含む。前記記憶媒体は、モバイル記憶装置、読出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、ディスクまたはＣＤ−ＲＯＭなどの様々な、プログラムコードを格納できる媒体を含む。このように、本発明の実施形態は、いずれかの特定のハードウェアとソフトウェアの組み合わせに制限されるものではない。
【００４０】
以上は、本発明の最適的な実施形態に過ぎなく、本発明の保護範囲を限定することに用いられるものではない。本発明の主旨精神と原則以内に、いかなる改修、同等入れ替わり、改良等が、本発明の保護範囲以内に含まれるべきである。
【図１】
0005876573.tif 000003
【図２】
0005876573.tif 000004
【図３】
0005876573.tif 000005
【図４】
0005876573.tif 000006
【図５】
0005876573.tif 000007